(57)【要約】【課題】本体ユニットが対応していないレンズユニットの新たな機能や調整機能を使えるようにする。【解決手段】本体ユニット１１は、各種のレンズユニット１２を装着して使用される。レンズユニット１２側のＲＯＭ４１ａには、レンズユニット１２に固有な調整を行う際に本体ユニット１１のＬＣＤ３０に表示するための情報表示データが書き込まれている。モード切替ダイヤル２８で特定動作モードを選択すると、レンズユニット１２側のレンズ制御部４１によって、ＲＯＭ４１ａの情報表示データが本体ユニット１１に送られ、これに基づいてＬＣＤ３０に表示が行われる。操作部４２からの操作信号は、レンズ制御部４１に転送され、これに応答してレンズ制御部４１が処理を行う。【選択図】図３
2007201535.tif 000002
【特許請求の範囲】
【請求項１】
撮影レンズとイメージセンサが設けられたレンズユニットと、このレンズユニットが着脱自在にされ、通信手段を介して装着されたレンズユニットを制御する本体ユニットとからなるカメラシステムにおいて、
前記本体ユニットに設けられ、入力される情報表示データに応じた情報を表示する表示手段と、前記レンズユニットに設けられ、前記表示手段に情報を表示するための情報表示データを予め記憶したレンズ側記憶手段と、装着されているレンズユニットに特有な動作を実行する特定動作モードに設定するためのモード設定手段と、前記モード設定手段によって前記特定動作モードに設定されたときに、前記レンズ側記憶手段に記憶されている情報表示データを前記通信手段を介して前記表示手段に送って特定動作モードに関する情報を表示させる表示制御手段とを備えたことを特徴とするカメラシステム。
【請求項２】
撮影レンズとイメージセンサが設けられたレンズユニットと、このレンズユニットが着脱自在にされ、装着されたレンズユニットを通信手段を介して制御する本体ユニットとからなるカメラシステムにおいて、
前記本体ユニットに設けられ、入力される情報表示データに応じた情報を表示する表示手段と、前記レンズユニットに設けられ、前記表示手段に表示すべき表示手順あるいは表示形態を記述した表示制御データを予め記憶したレンズ側記憶手段と、装着されているレンズユニットに特有の動作をさせる特定動作モードに設定するためのモード設定手段と、前記レンズユニットが前記本体ユニットに装着された後に、前記記憶手段に記憶されている表示制御データを読み出し、前記通信手段を介して本体ユニットに送る転送手段と、前記本体ユニットに設けられ、前記転送手段からの表示制御データを記憶する本体側記憶手段と、前記本体ユニットに設けられ、前記モード設定手段によって前記特定動作モードに設定されたときに、前記本体側記憶手段に記憶している表示制御データに基づいて情報表示データを生成し、生成した情報表示データを前記表示手段に入力して特定動作モードに関する情報を表示させる表示制御手段とを備えたことを特徴とするカメラシステム。
【請求項３】
前記特定動作モードは、前記レンズユニットの調整を行うモードであり、前記レンズ側記憶手段は、レンズユニットの調整に関する情報表示データを記憶していることを特徴とする請求項１または２記載のカメラシステム。
【請求項４】
前記特定動作モードは、前記本体ユニットが対応しないレンズユニットの未対応機能を実行するためのモードであり、前記レンズ側記憶手段は、未対応機能に関する情報表示データを記憶していることを特徴とする請求項１または２記載のカメラシステム。
【請求項５】
前記特定動作モードに関する情報は、その特定動作モードに関する操作案内，操作指示，選択項目，設定項目のいずれか１つを含むことを特徴とする請求項１ないし４のいずれか１項に記載のカメラシステム。
【請求項６】
前記本体ユニットは、外部からの操作に応じた操作信号を発生する操作部とを備え、前記レンズユニットは、レンズユニットの各部を制御するレンズ制御手段を備え、前記特定動作モードでは、前記操作部からの操作信号を前記通信手段を介してレンズ制御手段に送り、この操作信号に直接的に応答してレンズ制御部がレンズユニットの各部に対する制御を行うことを特徴とする請求項１ないし４のいずれか１項に記載のカメラシステム。
【発明の詳細な説明】
【技術分野】
【０００１】
本発明は、撮影レンズとイメージセンサを内蔵するレンズユニットと、このレンズユニットが着脱自在とされた本体ユニットとで構成されるカメラシステムに関するものである。
【背景技術】
【０００２】
近年では、ＣＣＤイメージセンサ等のイメージセンサによって、被写体を撮影し、その画像データをメモリカード等に記憶するデジタルカメラが普及している。また、例えば特許文献１に示されるように、撮影レンズとイメージセンサ（撮像素子）とを筐体に組み込んだレンズユニット（プラグインユニット）と、このレンズユニットが取り付られ、そのレンズユニットのイメージセンサで撮影して得られる画像データを受け取るようにした本体ユニット（カメラ本体）とからなるカメラシステムが知られている。
【０００３】
上記カメラシステムでは、レンズユニットとしては、ズームレンズや広角レンズ等の各種のものが用意されており、種々のレンズユニットを交換して利用できるようにされている。また、本体ユニットには、マイクロコンピュータが内蔵されており、装着されたレンズユニットの動作を制御するようにされている。
【特許文献１】特開平８−１７２５６１号公報
【発明の開示】
【発明が解決しようとする課題】
【０００４】
ところで、上記のようなカメラシステムにおいては、レンズユニットを制御し、またこれに応じた本体ユニット側の動作を行うための制御プログラム等を本体ユニット側に製造時に用意しておく必要がある。このため、本体ユニットが対応していない新たな機能、例えばそのレンズユニットに独特な調整機能や撮影機能がレンズユニットに追加された場合には、それまでの本体ユニットではレンズユニットの新たな機能を使用できない、あるいはその新機能を使うために本体ユニットの制御プログラムの書き換えを実施しなければならないという問題があった。特に新機能を使用するため設定や調整内容や調整のための指示を表示できないことがあげられる。
【０００５】
本発明は上記問題を解消するためになされたもので、レンズユニットの新たな機能や固有の調整機能を容易に利用できるようにしたカメラシステムを提供することを目的とする。
【課題を解決するための手段】
【０００６】
上記目的を達成するために、請求項１記載のカメラシステムでは、本体ユニットに設けられ、入力される情報表示データに応じた情報を表示する表示手段と、レンズユニットに設けられ、前記表示手段に情報を表示するための情報表示データを予め記憶したレンズ側記憶手段と、装着されているレンズユニットに特有な動作を実行する特定動作モードに設定するためのモード設定手段と、前記モード設定手段によって前記特定動作モードに設定されたときに、前記レンズ側記憶手段に記憶されている情報表示データを前記通信手段を介して前記表示手段に送って特定動作モードに関する情報を表示させる表示制御手段とを備えたものである。
【０００７】
また、請求項２記載のカメラシステムでは、本体ユニットに設けられ、入力される情報表示データに応じた情報を表示する表示手段と、レンズユニットに設けられ、前記表示手段に表示すべき表示手順あるいは表示形態を記述した表示制御データを予め記憶したレンズ側記憶手段と、装着されているレンズユニットに特有の動作をさせる特定動作モードに設定するためのモード設定手段と、前記レンズユニットが前記本体ユニットに装着された後に、前記レンズ側記憶手段に記憶されている表示制御データを読み出し、前記通信手段を介して本体ユニットに送る転送手段と、前記本体ユニットに設けられ、前記転送手段からの表示制御データを記憶する本体側記憶手段と、前記本体ユニットに設けられ、前記モード設定手段によって前記特定動作モードに設定されたときに、前記本体側記憶手段に記憶している表示制御データに基づいて情報表示データを生成し、生成した情報表示データを前記表示手段に入力して特定動作モードに関する情報を表示させる表示制御手段とを備えたものである。
【０００８】
請求項３記載のカメラシステムでは、特定動作モードを、レンズユニットの調整を行うモードとし、レンズ側記憶手段が、レンズユニットの調整に関する情報表示データを記憶しているようにしたものであり、請求項４記載のカメラシステムでは、特定動作モードを、本体ユニットが対応しないレンズユニットの未対応機能を実行するためのモードとし、レンズ側記憶手段が、未対応機能に関する情報表示データを記憶しているようにしたものである。そして、請求項５記載のカメラシステムでは、特定動作モードに関する情報が、その特定動作モードに関する操作案内，操作指示，選択項目，設定項目のいずれか１つを少なくとも含むものとしたものである。
【０００９】
請求項６記載のカメラシステムでは、本体ユニットが、外部からの操作に応じた操作信号を発生する操作部とを備え、レンズユニットは、レンズユニットの各部を制御するレンズ制御手段を備え、特定動作モードでは、前記操作部からの操作信号を通信手段を介してレンズ制御手段に送り、この操作信号に直接的に応答してレンズ制御部がレンズユニットの各部に対する制御を行うようにしたものである。
【発明の効果】
【００１０】
本発明のカメラシステムによれば、本体ユニットに着脱自在なレンズユニットに設けたレンズ側記憶手段に特定動作モードに必要な情報表示データを記憶させておき、特定動作モードに設定されたときに、その情報表示データを本体ユニットに設けた表示手段に入力して特定動作モードに関する情報を表示させる。あるいは、特定動作モード時に表示手段に表示すべき表示手順あるいは表示形態を記述した表示制御データをレンズユニットに記憶しておき、特定動作モードに設定されたときに、本体ユニットに設けた表示制御手段で表示制御データに基づいて表示データを生成し、表示手段に特定動作モードに関する情報を表示させたので、レンズユニットの新たな機能や調整機能の設定や、調整内容や調整のための指示を表示することができ、それらレンズユニットの新たな機能や固有の調整機能等を容易に利用することができる。
【発明を実施するための最良の形態】
【００１１】
本発明を実施したカメラシステムを図１に示す。このカメラシステムのデジタルカメラ１０は、本体ユニット１１とレンズユニット１２とを組み合わせることで構成される。レンズユニット１２は、筒状の筐体１２ａに内蔵された撮影レンズ１３とこの撮影レンズ１３によって結像する被写体像を光電変換するイメージセンサ１４とを有している。イメージセンサ１４としては、ＣＣＤイメージセンサを用いているが、ＭＯＳ型等であってもよい。
【００１２】
本体ユニット１１は、装着されたレンズユニット１２との間で種々の信号を授受することにより、イメージセンサ１４等を駆動し、イメージセンサ１４で被写体を撮影して得られる画像データを取得する。本体ユニット１１に対して、レンズユニット１２は着脱自在としてある。また、レンズユニット１２としては、例えば、撮影レンズ１３の焦点距離が異なるもの、イメージセンサ１４の画素数が異なるもの、赤外線撮影が可能なものなど、複数種類のものが用意されている。これにより、撮影意図・撮影シーンに応じたレンズユニット１２を任意に選択して本体ユニット１１に装着して撮影を行うことができる。
【００１３】
レンズユニット１２の背面に、バヨネット爪１５を形成したマウント部１６を設けてある。一方、本体ユニット１１の前面には、バヨネット溝１７を形成したマウント部１８を設けてある。レンズユニット１２は、そのバヨネット爪１６をバヨネット溝１７に位置合わせして押し込み、時計方向に回転して固定位置とすることによって本体ユニット１１に装着される。なお、このように固定位置とされたときに、イメージセンサ１４の受光面14ａが横長の姿勢となるようにしてある。
【００１４】
マウント部１８には、ロックピン２０を設けてある。ロックピン２０は、前方に突出したロック位置と、本体ユニット１１内に移動した解除位置との間で移動自在としてあり、ロック位置に向けて付勢してある。上記のようにレンズユニット１２を本体ユニット１１に装着する際に、ロックピン２０は、マウント部１６に押圧されることでバネの付勢に抗して解除位置に移動し、レンズユニット１２が固定位置まで回転されると、マウント部１６に形成されたピン穴（図示省略）と係合してレンズユニット１２の回転をロックする。これにより、レンズユニット１２が不用意に回転して本体ユニット１１から脱落することを防止する。
【００１５】
マウント部１８の近傍には、ロック解除ボタン２１を設けてあり、このロック解除ボタン２１を押圧操作すると、ロックピン２０が解除位置に移動し、ロックピン２０とピン穴との係合が解除される。これにより、レンズユニット１２の回転が許容され、カメラ本体１１からの取り外しが可能になる。
【００１６】
マウント部１８の中央には、マウント蓋２３を設けてある。このマウント蓋２３は、前方に向けて付勢してあり、レンズユニット１２が装着されていない時には、図１に示すようにバヨネット爪１５が入り込む開口を内側から塞ぎ、カメラ本体１１内に塵埃などが侵入することを防止する。マウント蓋２３は、レンズユニット１２が本体ユニット１１に装着された際には、レンズユニット１２に押圧されて後方に移動することにより、レンズユニット１２の装着を許容する。
【００１７】
バヨネット爪１５には、複数の接点１５ａを設けてあり、各接点１５ａは、レンズユニット１２が本体ユニット１１に固定された際に、本体ユニット１１側のマウント部１８内に設けた接点（図示省略）と接触する。これにより、本体ユニット１１に内蔵された回路とレンズユニット１２に内蔵された回路とを電気的に接続する。
【００１８】
本体ユニット１１の前面には、撮影時にストロボ光を被写体に照射するストロボ発光部２４を設けてある。また、カメラ本体１１の上面には、デジタルカメラ１０に撮影を指示するレリーズボタン２５と、モード切替ダイヤル２６とを設けてある。モード切替ダイヤル２６を操作することにより、静止画撮影を行う撮影モードと、撮影済みの画像を再生表示する再生モード、レンズユニット１２に特有な動作を行わせる特定動作モードとの切り替えを行うことができる。
【００１９】
この例では、レンズユニット１２に特有な動作として、本体ユニット１１が未対応なレンズユニット１２の調整を行うようにしてあり、特定動作モードを選択することでレンズユニット１２の調整モードとなる。なお、この特定動作モードで動作するレンズユニット１２に特有な動作としては、レンズユニット１２の調整に限られなるものではなく、新たに追加された撮影機能が動作するようにしてもよい。
【００２０】
レリーズボタン２５は、２段押しとなっており、撮影モード下で軽く押圧した半押しとすると、露出調節、ピント調節等が行われる。この半押しからさらにレリーズボタン２５を押し込んで全押しとすると、半押しで行われた露出調節、ピント調節の下で１画面分の撮影が行われ画像データが作成される。
【００２１】
本体ユニット１１の背面を図２に示す。本体ユニット１１の背面には、電源のＯＮ／ＯＦＦを切り替える電源スイッチ２８と、撮影した画像やスルー画像、メニュー画面等を表示するＬＣＤ３０と、カメラシステム１０に対して種々の指示を入力するためのズームボタン３３，メニューボタン３４，十字キー３５，決定キー３６を配してある。
【００２２】
装着されているレンズユニット１２がズームタイプである場合に、ズームボタン３３を操作することによって撮影レンズ１３を広角側，望遠側にズーミングすることができる。メニューボタン３４は、ＬＣＤ３０に設定メニュー画面を表示させる際に操作される。十字キー３５は、設定メニュー画面内でカーソルを移動させる際などに操作される。決定キー３６は、十字キー３５での選択内容等を決定する際に操作される。また、これらズームボタン３３，メニューボタン３４，十字キー３５、決定キー３６，レリーズボタン２５は、特定動作モード、この例では調整モード下での調整項目の選択や調整の実行指示等の際にも操作される。
【００２３】
図３に本体ユニット１１，レンズユニット１２の構成を示す。本体ユニット１１には、本体制御部４０を設けてあり、レンズユニット１２には、レンズ制御部４１を設けてある。デジタルカメラ１０は、撮影モードまたは再生モードでは、本体制御部４０がその制御下にレンズ制御部４１をおいて、本体ユニット１１，レンズユニット１２の各部を制御する。また特定動作モードは、レンズ制御部４１が実質的に制御を行う。このように特定動作モードの際に、レンズ制御部４１で実質的に制御を行うことで、本体ユニット１１側に制御プログラム等がない特定動作モードで動作可能としている。
【００２４】
本体制御部４０には、ＲＯＭ４０ａと、ＲＡＭ４０ｂとを接続してある。ＲＯＭ４０ａには、撮影モード・再生モード時に使用する制御プログラムや設定画面を表示させるための情報表示データ、特定動作モード時に使用するプログラム等が予め記憶されている。本体制御部４０は、撮影モード・再生モード時には、ＲＯＭ４０ａの制御プログラムに基づいて各部の制御を行い、特定動作モード時では特定動作用のプログラムにしたがって、レンズ制御部４１の制御下で本体制御部５０の必要な動作、例えば電源管理やレンズユニット１２との通信の制御等を行う。また、特定動作モード時では、本体制御部４０は、レンズユニット１２からの情報表示データをＬＣＤ３０に向けて転送する処理も行う。ＲＡＭ４０ｂは、作業用データを一時的に記憶するワークメモリとして用いられる。
【００２５】
レンズ制御部４１には、ＲＯＭ４１ａと、ワークメモリとして用いられるＲＡＭ４１ｂとを接続してある。撮影モード・再生モード時に使用する動作プログラム、特定動作モード時に使用する制御プログラムが予め書き込まれている。また、このＲＯＭ４０ａには、特定動作の際にＬＣＤ３０に各種表示を行うための情報表示データが予め書き込まれている。この例では、ＲＯＭ４０ａにはレンズユニット１２の調整に関する情報表示データが書き込まれており、より具体的には例えば調整項目を選択するための調整メニュー画面や調整のための操作を指示したり、調整値を入力したりするための調整操作画面を表示するための情報表示データが書き込まれている。
【００２６】
レンズ制御部４１は、撮影モード。再生モード時には、本体制御部４０の制御下で動作プログラムにしたがって撮影のためにレンズユニット１２の各部を駆動する。特定動作モード時では、レンズ制御部５１は、調整制御プログラムしたがって、レンズユニット１２の各部を駆動し、レンズユニット１２の調整、例えばイメージセンサ１４の欠陥画素の検出やブラックバランスの調整，オートフォーカスの調整等を行う。また、この特定動作モード時では、レンズ制御部４１は、ＲＯＭ４１ａから調整画面の情報表示データを読み出して、それを本体ユニット１１に送ることでＬＣＤ３０に調整メニュー画面や調整操作画面を表示させる。
【００２７】
操作部３２は、レリーズボタン２５，ズームボタン３３，メニューボタン３４，十字キー３５，決定キー３６から構成されており、それらの操作に応じた操作信号を発生し、その操作信号を本体制御部４０に送る。本体制御部４０は、撮影モード・再生モードでは、操作信号に応答して本体ユニット１１の各部を制御するとともにレンズ制御部４１を介してレンズユニット１２の駆動を制御する。また、特定動作モード時では、本体制御部４０は、操作信号が入力されるとそれをレンズ制御部４１に転送する。
【００２８】
デジタル信号処理部４３には、バス４４を介してメモリ４５を接続してある。メモリ４５には、レンズユニット１２から取得した画像データが一時的に書き込まれる。デジタル信号処理部４３は、メモリ４５に記憶されている画像データに対して階調変換，ホワイトバランス補正，ガンマ補正などの各種画像処理、ＹＣ変換処理等を施す。
【００２９】
バス４４には、デジタル信号処理部４３，メモリ４５の他に、本体制御部４０，レンズユニット１２と通信するためのシリアルドライバ４６，ストロボ制御部４７，ＬＣＤドライバ４８，メディアコントローラ４９等が接続されており、相互間での制御信号，データの授受が可能になっている。シリアルドライバ４６は、マウント部１６，１８に設けた各接点を介してレンズユニット１２のシリアルドライバ５１と接続される。ストロボ制御部４７は、本体制御部４０からのストロボ発光信号に応答してストロボ発光部２４を発光させる。
【００３０】
ＬＣＤドライバ４８は、撮影モード下でのスルー画像表示や再生モード時では、入力される画像データに基づいてＬＣＤ３０を駆動することによって画像を表示する。また、撮影モード・再生モード下での設定画面や、特定動作モード下での各種画面をＬＣＤ３０に表示する際には、ＬＣＤドライバ４８に情報表示データが入力される。
【００３１】
撮影モード，再生モード時では、本体制御部４０によって、ＲＯＭ４０ａから読み出された情報表示データがＬＣＤドライバ４８に入力されることにより設定メニュー画面等がＬＣＤ３０に表示される。また、特定動作モード時では、レンズユニット１２からの情報表示データがシリアルドライバ５１，４６を介して本体制御部４０にいったん送られ、この本体制御部４０からＬＣＤドライバ４８に転送されることによって調整メニュー画面等がＬＣＤ３０に表示される。
【００３２】
メディアコントローラ４９は、本体ユニット１１に装着される記録メディア５３に対して画像データの読み書きを行う。撮影モードの場合には、レンズユニット１２から取得した画像データが、この記録メディア５３に記録される。再生モードの場合には、記録メディア５３から読み出した画像データをＬＣＤドライバ４８に送ることでＬＣＤ３０に再生表示される。
【００３３】
本体ユニット１１のバッテリ収納室（図示省略）にバッテリ５４が装着され、このバッテリ５４が電源制御部５５に接続される。電源制御部５５は、バッテリ５５の出力電圧を所定の電圧に変圧し、本体ユニット１１の各部に供給する。また、電源制御部５５は、マウント部１６，１８の接点を介してレンズユニット１２への給電を行う。この電源制御部５５には、電源スイッチ２８を接続してあり、各部への電力の供給と停止とは、電源スイッチ２８のＯＮ／ＯＦＦ操作に応答して制御される。
【００３４】
撮影レンズ１３は、変倍レンズ５７，絞り５８，フォーカスレンズ５９を有しており、これらはレンズ制御部４１に制御されたレンズ駆動部６１によって駆動される。ズームボタン３３の操作に応じて変倍レンズ５７が前後に移動することによって、撮影レンズ１３の焦点距離が変化する。フォーカスレンズ５９は、例えば撮影画面の中央部の被写体に撮影レンズ１３のピントが合致するように移動され、絞り５８は、その開口径（絞り値）が変化することにより、イメージセンサ１４に入射する光量を調節する。
【００３５】
撮影レンズ１３とイメージセンサ1４との間に、シャッタ装置６２を配してある。このシャッタ装置６２と、イメージセンサ１４とは、ドライバ６３によって駆動される。イメージセンサ１４は、光電変換により被写体像を電気信号に変換して、アナログの画像信号を出力する。シャッタ装置６２は、撮影モード下では、通常はシャッタ羽根を開いた開き状態にあり、レリーズボタン２５の全押しに応答した１画面分の撮影がイメージセンサ１４で行われた直後にシャッタ羽根を閉じた閉じ状態となる。このシャッタ装置６２により、スメアの発生を防止する。
【００３６】
イメージセンサ１４からの画像信号は、信号処理部６４に送られる。信号処理部６４は、バス６５を介してレンズ制御部４１に接続されており、このレンズ制御部４１の制御下で駆動される。信号処理部６４は、撮影モード時には、入力される画像信号に対してノイズの除去，欠陥画素に対応する画像信号の補間処理，増幅処理などを施してから、デジタル変換して画素毎の画像データを出力する。この信号処理部６４は、欠陥画素の位置情報やブラックバランスのパラメータ等を記憶するメモリを備えており、それらに基づいて欠陥画素に対応する補間処理、ブラックバランスの補正等を行う。
【００３７】
また、信号処理部６４は、画像信号に基づいて被写体像の高周波成分の振幅値であるＡＦ検出値と、被写体輝度を示すＡＥ検出値を発生してレンズ制御部４１に送る。レンズ制御部４１は、被写体にピントを合致させるために、フォーカスレンズ５７を移動してＡＦ検出値が最大となるようにＡＦ処理を行い、ＡＥ検出値に基づいて絞り５８の絞り値やイメージセンサ１４の電子シャッタ速度（電荷蓄積時間）を決定し制御する。
【００３８】
調整モード（特定動作モード）下では、レンズ制御部４１は、信号処理部６４からの画像データ，ＡＦ検出値，ＡＥ検出値を参照することにより、適切なパラメータ等の設定を行う。例えば、欠陥画素の検出時では、画像データを調べることにより、出力が異常となっている新たな欠陥画素を検出し、その画素の位置情報を信号処理部６４のメモリに書き込む。
【００３９】
バス６５に接続されたシリアルドライバ５１は、マウント部１６，１８を介して本体ユニット１１のシリアルドライバ４６と接続される。各シリアルドライバ４６，５１は、バス４４，６５を介して入力されるパラレルの信号をシリアルの信号に変換して他方のシリアルドライバに送信し、他方のシリアルドライバから受信した信号をパラレルの信号に変換してバス４４に送り出す。これにより、各制御部４０，４１間での通信や、画像データ，情報表示データの授受が本体ユニット１１，レンズユニット１２の間で行われる。なお、この例では、シリアルドライバ４６，５１を通信手段として用いているが、これに限られるものではない。
【００４０】
電源制御部６６は、マウント部１６，１８の接点を介して本体ユニット１１の電源制御部５５に接続される。電源制御部６６は、電源制御部５５から給電された際に、その電力をレンズユニット１２の各部に分配する。
【００４１】
なお、この例では、特定動作モード下において、本体制御部４０が受け取った操作信号をバス４４、シリアルドライバ４６，５１、バス６５を介してレンズ制御部４１に転送し、またレンズユニット１２から送出される情報表示データをいったん本体制御部４０で受け取ってからＬＣＤドライバ４８に転送しているが、これらの手法に限定されるものではない。例えば、操作部４２からの操作信号が直接にレンズ制御部４１に送られるように回路の切り換えを行う手段を設けたり、ＬＣＤドライバ４８がレンズユニット１２から送出される表示データをバス４４から直接に取得するようにしてもよい。
【００４２】
図４に特定動作モード下でＬＣＤ３０に表示される調整メニュー画面の一例を示す。調整メニュー画面７６には、特定動作モードの選択により調整モードとなっていることを示すモード表示７７や、選択可能な各種の調整項目７8ａを示す一覧表示７８、操作者に対する操作指示や案内を示す操作指示表示７９が表示される。選択されている調整項目７8ａは、例えば反転表示される（図５では実線で囲んで示してある）。十字キー３５を操作することにより、反転表示される調整項目７8ａが順次に移動し、所望とする調整項目７８ａを選択することができる。
【００４３】
決定キー３６を押圧することで調整項目７８ａを決定すると、図６に一例を示すように、その調整項目７8ａに応じた調整操作画面８１がＬＣＤ３０に表示される。調整操作画面８１には、モード表示７７，選択された調整項目を示す調整項目表示８２，この調整項目で操作者が行うべき操作指示等を示す操作指示表示８３が表示される。
【００４４】
次に、上記構成の作用について説明する。デジタルカメラ１０を使用するには、レンズユニット１２をカメラ本体１１に取り付けてから、電源スイッチ２８をＯＮにする。電源スイッチ２８をＯＮにすると、バッテリ５４の電圧が電源制御部５５によって変圧され、カメラ本体１１の各部に供給される。また、この電源制御部５５から各マウント部１８，１６の接点を介してレンズユニット１２の電源制御部６６にも電力が供給される。そして、電力が入力されることにより、この電源制御部６６によってレンズユニット１２の各部に電力が供給される。これにより、デジタルカメラ１０が起動する。
【００４５】
撮影を行う場合には、上記のようにしてデジタルカメラ１０を起動させた後、モード切替ダイヤル２６を操作して撮影モードを選択する。撮影モードが選択されると、操作部４２からの操作信号に基づいて、本体ユニット１１の各部が本体制御部４０によって制御され、またレンズ制御部４１が本体制御部４０の制御下に入り、この制御下でレンズユニット１２の各部が制御される状態となる。
【００４６】
撮影モード下では、イメージセンサ１４によって被写体のスルー画像表示のための光電変換が繰り返し行われ、得られる画像信号が信号処理部６４でノイズの除去，欠陥画素に対応する画像信号の補間処理、増幅処理などを施してから、画像データに変換される。そして、この画像データがシリアルドライバ５１，４６を介して本体ユニット１１に送られる。本体ユニット１１に送られた画像データは、バス４４を介してメモリ４５に送られ、このメモリ４５上の画像データに対してデジタル信号処理部４３で種々の画像処理が施された後、その画像データがＬＣＤドライバ４８に入力される。これにより、被写体がスルー画像としてＬＣＤ３０に表示される。撮影者は、ＬＣＤ３０に表示されるスルー画を観察することによってフレーミングを行うことができる。
【００４７】
また、このときに例えばズームボタン３３を操作すると、そのズーム操作に応じた操作信号が操作部４２から本体制御部４０に入力される。例えば、広角側へのズーム操作をした場合に、その操作信号に応答して本体制御部４０は、撮影レンズ１３を広角側にズーミングする指示をバス４４，シリアルドライバ４６，５１，バス６５を介してレンズ制御部４１に送る。これにより、撮影レンズ１３の焦点距離が短くなるようにレンズ駆動部６１で変倍レンズ５７が移動される。そして、ズームボタン３３の操作が解除されると、スーム停止のための指示が本体制御部４０からレンズ制御部４１に送られ、変倍レンズ５７の移動が停止する。望遠側へのズーム操作をした場合にも、同様に撮影レンズ１３が望遠側にズーミングされる。
【００４８】
フレーミングの後、レリーズボタン２５を半押しとすると、その操作信号（以下、半押し信号という）が操作部４２から本体制御部４０に入力される。半押し信号が入力されると、本体制御部４０からレンズ制御部４１に対してＡＦ指示、ＡＥ指示が送られ、このＡＦ指示、ＡＥ指示の入力によって、レンズ制御部４１が信号処理部６４から出力されているＡＦ検出値が最大になるようにフォーカスレンズ５９を移動させ、ＡＥ検出値に基づいて絞り５８の絞り値とイメージセンサ１４の電子シャッタ速度を決定する。
【００４９】
レリーズボタン２５をさらに押し込んで全押しとすると、その操作信号（以下、全押し信号という）が操作部４２から本体制御部４０に入力される。そして、全押し信号に応答して、本体制御部４０が静止画を撮影するための撮影指示信号をレンズ制御部４１に送る。この撮影指示信号の入力により、レンズ制御部４１が絞り５８を半押し時に決定した絞り値となるようにした後に、ドライバ６３を介してシャッタ装置６２，イメージセンサ１４を作動させて１画面分の露光（電荷蓄積）を行う。
【００５０】
露光完了後、イメージセンサ１４からの画像信号が信号処理部６４に入力される。この画像信号は、信号処理部６４で各種処理が施されてから画像データに変換され、バス６５，シリアルドライバ５１，４６，バス４４を介してメモリ４５に書き込まれる。そして、その画像データは、デジタル信号処理部４３によって種々の処理が施されてから、メディアコントローラ４９に送られて、記録メディア５３に記録される。
【００５１】
画像を再生する場合には、モード切替ダイヤル２６を操作して再生モードを選択する。再生モードが選択されると、本体制御部４０の制御によってメディアコントローラ４９が作動し、装着されている記録メディア５３から最初の画像データが読み出され、これがＬＣＤドライバ４８に送られることで、ＬＣＤ３０に最初の画像が表示される。
【００５２】
この再生モード下で十字キー３５を操作毎に、本体制御部４０からメディアコントローラ４９に対して次の画像データを読み出すための指示が出される。これにより、記録メディア５３から読み出される画像データが順次に切り換えられて、ＬＣＤ３０に表示される画像を所望のものとすることができる。
【００５３】
例えば撮影モードにおける設定を変更する場合には、メニューボタン３４を押圧する。このメニューボタン３４の操作による操作信号が操作部４２から本体制御部４０に入力されると、本体制御部４１によってＲＯＭ４０ａから設定メニュー画面の情報表示データが読み出され、これがバス４４を介してＬＣＤドライバ４８に送られることにより、ＬＣＤ３０には設定メニュー画面が表示される。操作者は、この設定メニュー画面を参照しながら、カーソルキー３５，決定キー３６を操作して所望とする設定項目を選択する。
【００５４】
設定項目を選択して、決定キー３６を操作すると、ＲＯＭ４０ａから情報表示データが読み出されてＬＣＤドライバ４８に送られることにより、選択した設定項目の設定画面がＬＣＤ３０に表示される。操作者は、カーソルキー３５，決定キー３６の操作によって、その設定項目に対するパラメータ等の変更を行って決定キー３６で決定する。
【００５５】
例えばホワイトバランスの設定画面で、十字キー３５を操作すると、その操作に応答してＬＣＤ３０に表示される光源の種類あるいは色温度が順次に切換えられ、決定キー３６が操作されることで、その時点の光源の種類あるいは色温度に対応するホワイトバランス用のパラメータがデジタル信号処理部４３に設定される。
【００５６】
一方、レンズユニット１２の調整を行う場合には、モード切替ダイヤル２６を操作して特定動作モードを選択する。このように特定動作モードが選択されると、本体制御部４０からレンズ制御部４１に対して特定動作モードが選択されたことが通知され、操作部４２からの操作信号にレンズ制御部４１が応答して実質的な制御を行うようにされる。また、本体制御部４０がレンズユニット１２からの情報表示データをＬＣＤドライバ４８に転送するようになる。
【００５７】
図６に示すように、レンズ制御部４１によってＲＯＭ４１ａがアクセスされ、調整メニュー画面の情報表示データがバス６５，シリアルドライバ５１，４６，バス４４を介して本体制御部４０に送られる。そして、この情報表示データが本体制御部４０からＬＣＤドライバ４８に転送されることにより、図４に示されるような調整メニュー画面７６がＬＣＤ３０に表示される。
【００５８】
操作者は、調整メニュー画面７６を参照しながら、十字キー３５を操作して、所望とする調整項目７8ａを反転表示した状態にしてから、決定キー３６を操作する。調整メニュー画面７６が表示されているときに、十字キー３５が操作されると、その操作信号は本体制御部４０からレンズ制御部４１に転送される。すると、十字キー３５の操作に応じた次の調整項目７８ａを反転表示するための情報表示データがＲＯＭ４１ａからレンズ制御部４１によって読み出され、これが本体制御部４０を介してＬＣＤドライバ４８に送られる。これによってＬＣＤ３０上で反転表示されて選択中となる調整項目７８ａが変更される。
【００５９】
決定キー３６を操作した場合にも、その操作信号は本体制御部４０からレンズ制御部４１に転送される。そして、この操作信号が入力されると、それが入力された時点で反転表示している調整項目７８ａ、すなわち選択されている調整項目７８ａの情報表示データがＲＯＭ４１ａからレンズ制御部４１によって読み出され、本体制御部４０を介してＬＣＤドライバ４８に送られる。これによって、選択した調整項目の調整操作画面８１がＬＣＤ３０に表示される。
【００６０】
例えば、画素欠陥検出の調整項目７８ａを選択しているときに、決定キー３６を操作すれば、図５に示されるように、画素欠陥検出の調整操作画面８１がＬＣＤ３０に表示される。そして、操作者は、この調整操作画面８１上の操作指示表示８３にしたがって操作を行う。画素欠陥検出では、レンズユニット１２の前面にレンズキャップを装着して、外部からの光が入射しないようにしてから、レリーズボタン２５を押圧して全押しとする。
【００６１】
レリーズボタン２５の全押しによって操作部４２から出力される全押し信号は、本体制御部４０からレンズ制御部４１に送られる。そして、レンズ制御部４１の制御によってイメージセンサ１４が駆動され、レンズキャップで遮光された状態で一定時間の電荷蓄積が行われる。この後に、画像信号がイメージセンサ１４から出力され、その画像信号が増幅されてから画像データに変換される。このようにして得られる画像データをレンズ制御部４１が調べることにより、イメージセンサ１４の欠陥画素の位置が特定され、その位置情報が信号処理部６４に書き込まれる。そして、次回の撮影からは、このようにして更新された欠陥画素の位置情報に基づいて、欠陥画素に対応する信号部分の補間処理が行われる。
【００６２】
上記実施形態は、特定動作モードによってレンズユニットの調整を行う場合について説明したが、例えば図７に示す例のように、本体ユニット１１が未対応なレンズユニット１２の機能、例えば新機能や特殊機能で撮影を行ってもよい。この場合には、レンズユニット１２側のＲＯＭ４１ａには、本体ユニット１１の未対応となるレンズユニット１２の新機能，特殊機能（以下、これらを未対応機能という）の一覧を内容とする機能選択メニュー画面や、その未対応機能の操作案内・指示等を表示するための情報表示データと、基本的な撮影を実行するための制御プログラムとともに、未対応機能に対応した制御プログラムが予め書き込まれる。
【００６３】
モード切替ダイヤル２６を操作して、特定動作モードを選択すると、未対応機能を使って撮影する未対応機能モードとなり、ＲＯＭ４１ａから機能選択メニュー画面を表示するための情報表示データが読み出され、これが本体ユニット１１に送られることで、ＬＣＤ３０に未対応機能の選択メニュー画面が表示される。調整モード時と同様に十字キー３５を操作して所望とするレンズユニット１２の未対応機能を選択し、決定キー３６を操作して決定する。
【００６４】
上記の操作によってＬＣＤ３０で所望とする未対応機能が選択されると、レンズ制御部４１によって、その選択された未対応機能の操作案内・指示を表示するための情報表示データがＲＯＭ４１ａから読み出されて、これが本体ユニット１１に送られることにより、選択した未対応機能の操作案内・指示がＬＣＤ３０に表示される。撮影者は、この表示にしたがって撮影を行う。そして、操作部４２が操作されると、それから出力される操作信号が本体ユニット１１からレンズ制御部４１に送られ、この操作信号に応答してレンズ制御部４１が未対応機能の制御プログラムに基づいて、レンズユニット１２の各部を制御して、選択された未対応機能での撮影を行う。
【００６５】
このようにして得られる画像データが本体ユニット１１に送られ、撮影モードで撮影を行った場合と同様な手順で処理されてから記録メディア５３に画像データが書き込まれる。このようにして、本体ユニット１１が対応していないレンズユニット１２での未対応機能での撮影を行うことができる。
【００６６】
なお、未対応機能についてパラメータ等を設定するなどの場合には、最初の実施形態と同様に調整モードから設定できるようにしたり、あるいは未対応機能モードからパラメータ等の設定画面を表示できるようにしたりすることができる。また、特定動作モードを選択したときに、レンズユニット１２の調整と、未対応機能を使っての撮影とを選択できるようにしてもよい。さらに、撮影モードから未対応機能を使っての撮影の動作となるようにしてもよい。
【００６７】
図８は、レンズユニットからＬＣＤに表示すべき表示手順や表示形態を記述した表示制御データを本体ユニットに送るようにした例を示すものである。この例では、例えば未対応機能の機能選択メニュー画面，操作案内・指示を所定の手順で表示するための処理を本体ユニット側に行わせるための表示制御データとしてＪＡＶＡ（登録商標）等のスクリプトが用いられており、このスクリプトをレンズユニット１２側のＲＯＭ４１ａに記憶してある。
【００６８】
デジタルカメラ１０電源がＯＮとなると、ＲＯＭ４１ａのスクリプトが本体ユニット１１側のＲＡＭ４０ａに転送されて書き込まれる。そして、本体ユニット１１側の操作でレンズユニット１２を未対応機能モードが選択されたときに、本体制御部４０がＲＡＭ４０ａに書き込まれているスクリプトにしたがって表示制御を行うことで、ＬＣＤ３０に機能選択メニュー画面や操作案内・指示を表示する。
【００６９】
なお、表示制御データとしては、各種のものを用いることができ、例えば、XML、ＨＴＭＬのようなマークアップ言語を利用することもできる。また、機能選択メニュー画面や操作案内・指示に限らず、調整画面などを表示してもよい。
【００７０】
上記各実施形態では、画像を表示するＬＣＤに情報表示データに基づく表示を行っているが、表示手段としては、これに限るものではなく、ＬＥＤを使用した表示手段や、画像を表示するＬＣＤとは別に設けた表示手段等であってもよい。
【図面の簡単な説明】
【００７１】
【図１】カメラシステムの構成を示す斜視図である。
【図２】本体ユニットの背面図である。
【図３】各ユニットの構成を示すブロック図である。
【図４】特定動作モードで表示される調整メニュー画面の一例を示す説明図である。
【図５】特定動作モードで表示される画面の別の例を示す説明図である。
【図６】特定動作モードにおける処理の概略を示すフローチャートである。
【図７】未対応機能で動作させる場合における処理の概略を示すフローチャートである。
【図８】スクリプトを転送する例を示すものである。
【符号の説明】
【００７２】
１０  デジタルカメラ
１１  本体ユニット
１２  レンズユニット
１３  撮影レンズ
１４  イメージセンサ
２６  モード切替ダイヤル
３０  ＬＣＤ
４０，４１  制御部
４０ａ，４１ａ  ＲＯＭ
４２  操作部
【図１】
2007201535.tif 000003
【図２】
2007201535.tif 000004
【図３】
2007201535.tif 000005
【図４】
2007201535.tif 000006
【図５】
2007201535.tif 000007
【図６】
2007201535.tif 000008
【図７】
2007201535.tif 000009
【図８】
2007201535.tif 000010